【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
セルラネットワークにおいて無線伝送を制御する方法であって、
半二重の無線デバイス（１００）が、前記セルラネットワークの基地局（１５０）に対するアップリンクメッセージの反復伝送を生成することと、
前記無線デバイス（１００）が、事前に構成された規則に従い、前記アップリンクメッセージの前記反復伝送を、複数の伝送ピリオドのシーケンスに分割すること、及び前記伝送ピリオド間に少なくとも１つの測定ギャップを構成することと、ここで、前記規則は、前記複数の伝送ピリオドの期間、および少なくとも１つの測定ギャップの期間を定義し、
前記伝送ピリオドにおいて、前記無線デバイス（１００）が、前記反復伝送を前記基地局（１５０）に送信することと、
前記伝送ピリオド間に構成される前記少なくとも１つの測定ギャップにおいて、前記無線デバイス（１００）が、少なくとも１つのダウンリンク信号を前記基地局（１５０）から受信することに一時的に切り替えることと、
受信される前記少なくとも１つのダウンリンク信号に基づいて、前記無線デバイス（１００）が、前記無線デバイス（１００）の参照周波数源（２９０；８２０）の周波数誤差を推定することと、を含む、方法。
【請求項２】
前記反復伝送は、前記複数の伝送ピリオドを含むスケジュールされたアップリンク伝送に従って行われる、請求項１に記載の方法。
【請求項３】
前記少なくとも１つの測定ギャップの位置の明示的なシグナリングは無い、請求項１または２に記載の方法。
【請求項４】
前記少なくとも１つの測定ギャップにおいて、前記無線デバイス（１００）が、ダウンリンク制御情報を前記基地局（１５０）から受信することを含み、
前記ダウンリンク制御情報が、前記アップリンクメッセージの受信成功を確認応答するための確認応答情報を含む、請求項１〜３のいずれか一項に記載の方法。
【請求項５】
前記アップリンクメッセージの前記基地局による受信が成功したことを示す前記確認応答情報に応答して、前記無線デバイス（１００）が、前記アップリンクメッセージの前記反復伝送を終了することを含む、請求項４に記載の方法。
【請求項６】
前記少なくとも１の測定ギャップにおいて、前記無線デバイス（１００）は前記基地局（１５０）からダウンリンク制御情報を受信することを含み、
前記ダウンリンク制御情報が、休止指標を含み、
前記休止指標を受信することに応答して、前記無線デバイス（１００）が、前記アップリンクメッセージの前記反復伝送を中断する、請求項１〜５のいずれか１項に記載の方法。
【請求項７】
前記アップリンクメッセージが、物理層トランスポートチャネル上で伝達されるトランスポートブロックに対応し、
前記トランスポートブロックが、複数の冗長バージョンのセットにマッピングされ、
前記伝送ピリオドのそれぞれが、前記冗長バージョンの１つ以上のサブセットを含む、請求項１〜６のいずれか一項に記載の方法。
【請求項８】
前記伝送ピリオドのそれぞれが、物理層トランスポートチャネル上で伝達されるトランスポートブロックを含む、請求項１〜６のいずれか１項に記載の方法。
【請求項９】
前記少なくとも１つのダウンリンク信号が、システム情報を伝達するブロードキャスト信号を含み、
前記無線デバイス（１００）が、前記ブロードキャスト信号の少なくとも一部の反復される伝送に基づいて、前記周波数誤差を推定することをさらに含む、請求項１〜８のいずれか一項に記載の方法。
【請求項１０】
前記システム情報が、複数のバージョンで伝送され、
前記バージョンのうちの少なくとも１つが、反復して伝送され、
前記無線デバイス（１００）が、前記少なくとも１つのバージョンの前記反復される伝送に対応する前記ブロードキャスト信号の一部に基づいて前記周波数誤差を推定する、請求項９に記載の方法。
【請求項１１】
セルラネットワークにおいて無線伝送を制御する方法であって、前記方法が、
前記セルラネットワークの基地局（１５０）が、少なくとも１つのダウンリンク信号を半二重の無線デバイス（１００）に送信することと、
前記基地局（１５０）が、アップリンクメッセージの反復伝送を前記半二重の無線デバイス（１００）から受信することと、を含み、
前記アップリンクメッセージの前記反復伝送が、事前に構成された規則に従って、複数の伝送ピリオドのシーケンスに分割され、少なくとも１つの測定ギャップが、前記伝送ピリオド間に構成され、ここで、前記規則は、前記複数の伝送ピリオドの期間、および少なくとも１つの測定ギャップの期間を定義し、測定ギャップにおいて、前記無線デバイス（１００）が、前記無線デバイス（１００）の参照周波数源（２９０；８２０）の周波数誤差を推定するために、少なくとも１つのダウンリンク信号を前記基地局（１５０）から受信することに一時的に切り替える、方法。
【請求項１２】
前記アップリンクメッセージを受信するための受信処理において、前記基地局（１５０）が、前記少なくとも１つの測定ギャップにおいて受信される信号を無視することを含む、請求項１１に記載の方法。
【請求項１３】
前記少なくとも１つの測定ギャップにおいて、前記基地局（１５０）が、ダウンリンク制御情報を前記無線デバイス（１００）に送信することを含み、
前記ダウンリンク制御情報が、前記基地局（１５０）による前記アップリンクメッセージの受信成功を確認応答するための少なくとも１つの確認応答情報、および前記アップリンクメッセージの前記反復伝送を前記無線デバイス（１００）に中断させる休止指標を含む、請求項１１または１２に記載の方法。
【請求項１４】
前記基地局（１５０）が、前記少なくとも１つの測定ギャップを、１つ以上の他の無線デバイス（１００’；１００’’）によって伝送される１つ以上の信号と協調させることを含む、請求項１１〜１３のいずれか一項に記載の方法。
【請求項１５】
前記少なくとも１つの測定ギャップにおいて、前記基地局（１５０）が、別の無線デバイス（１００’；１００’’）によるアップリンク伝送をスケジューリングすることを含む、請求項１１〜１４のいずれか１項に記載の方法。
【請求項１６】
セルラネットワークに接続するための半二重の無線インタフェース（８１０）と、
参照周波数源（２９０；８２０）と、
前記セルラネットワークの基地局（１５０）へのアップリンクメッセージの反復伝送を生成し、
事前に構成された規則に従い前記アップリンクメッセージの前記反復伝送を複数の伝送ピリオドのシーケンスに分割し、少なくとも１つの測定ギャップを前記伝送ピリオド間に構成し、ここで、前記規則は、前記複数の伝送ピリオドの期間、および少なくとも１つの測定ギャップの期間を定義し、
前記伝送ピリオドにおいて、前記反復伝送を前記基地局（１５０）に伝送し、
前記伝送ピリオド間に構成される前記少なくとも１つの測定ギャップにおいて、少なくとも１つのダウンリンク信号を前記基地局（１５０）から受信することに前記半二重無線インタフェース（８１０）を一時的に切り替え、
受信される前記少なくとも１つダウンリンク信号に基づいて、前記参照周波数源（２９０；８２０）の周波数誤差を推定するように構成される、１つ以上のプロセッサ（８４０）と、を備える、無線デバイス（１００）。
【請求項１７】
セルラネットワーク用の基地局（１５０）であって、
半二重の無線デバイス（１００）への無線インタフェース（９１０）と、
少なくとも１つのダウンリンク信号を前記半二重の無線デバイス（１００）に送信し、
アップリンクメッセージの反復伝送を前記半二重の無線デバイス（１００）から受信し、
前記アップリンクメッセージの前記反復伝送が、事前に構成された規則に従い複数の伝送ピリオドのシーケンスに分割され、少なくとも１つの測定ギャップが、前記伝送ピリオド間に構成され、ここで、前記規則は、前記複数の伝送ピリオドの期間、および少なくとも１つの測定ギャップの期間を定義し、測定ギャップにおいて、前記無線デバイス（１００）が、前記無線デバイス（１００）の参照周波数源（２９０；８２０）の周波数誤差を推定するために、少なくとも１つのダウンリンク信号を前記基地局（１５０）から受信することに一時的に切り替えるように構成される、１つ以上のプロセッサ（９４０）と、を備える、基地局（１５０）。
【請求項１８】
セルラネットワークにおいて無線伝送を制御する方法であって、
半二重の無線デバイス（１００）が、前記セルラネットワークの基地局（１５０）に対するアップリンクメッセージの反復伝送を生成することと、
前記無線デバイス（１００）が、前記アップリンクメッセージの前記反復伝送を、複数の伝送ピリオドのシーケンスに分割すること、及び前記伝送ピリオド間に少なくとも１つの測定ギャップを構成することと、
前記伝送ピリオドにおいて、前記無線デバイス（１００）が、前記反復伝送を前記基地局（１５０）に送信することと、
前記伝送ピリオド間に構成される前記少なくとも１つの測定ギャップにおいて、前記無線デバイス（１００）が、少なくとも１つのダウンリンク信号を前記基地局（１５０）から受信することに一時的に切り替えることと、
受信される前記少なくとも１つのダウンリンク信号に基づいて、前記無線デバイス（１００）が、前記無線デバイス（１００）の参照周波数源（２９０；８２０）の周波数誤差を推定することと、を含み
前記少なくとも１つの測定ギャップの位置の明示的なシグナリングは無い、方法。
【請求項１９】
セルラネットワークにおいて無線伝送を制御する方法であって、
半二重の無線デバイス（１００）が、前記セルラネットワークの基地局（１５０）に対するアップリンクメッセージの反復伝送を生成することと、
前記無線デバイス（１００）が、前記アップリンクメッセージの前記反復伝送を、複数の伝送ピリオドのシーケンスに分割すること、及び前記伝送ピリオド間に少なくとも１つの測定ギャップを構成することと、
前記伝送ピリオドにおいて、前記無線デバイス（１００）が、前記反復伝送を前記基地局（１５０）に送信することと、
前記伝送ピリオド間に構成される前記少なくとも１つの測定ギャップにおいて、前記無線デバイス（１００）が、少なくとも１つのダウンリンク信号を前記基地局（１５０）から受信することに一時的に切り替えることと、
受信される前記少なくとも１つのダウンリンク信号に基づいて、前記無線デバイス（１００）が、前記無線デバイス（１００）の参照周波数源（２９０；８２０）の周波数誤差を推定することと、
前記無線デバイス（１００）が前記少なくとも１つの測定ギャップを挿入する必要があるかどうかを示す指示を送信することと、を含む、方法。